(57)【要約】【課題】気液混合室を設けることなくノズルキャップをコンパクトに形成した場合でも、泡質を低下させることなく、内容液を空気と混合しながら発泡させるスクイズフォーマー容器を提供する。【解決手段】ノズルキャップ１２に設けられた縦方向吐出流路１６の内部には、内容液を発泡させる多孔部材２２が装着されている。縦方向吐出流路１６における多孔部材２２よりも下方部分の内側面には、容器本体１１から内溶液が圧送供給される液流路２４ａの先端供給口２６ａと、容器本体１１から空気が圧送供給される空気流路２４ｂの先端供給口２６ｂとが、各々開口している。液流路２４ａの先端供給口２６ａからの内容液の供給方向延長線Ｘと、空気流路２４ｂの先端供給口２６ｂからの空気の供給方向延長線Ｙとが、横方向から視た際に、交差する前に多孔部材２２の下面に到る位置関係で、液流路２４ａ及び空気流路２４ｂの先端部分が各々形成されている。【選択図】図５
2014125212.tif 000002
【特許請求の範囲】
【請求項１】
内容液を収容する容器本体と、該容器本体の口首部に装着される、吐出ノズル部を備えるノズルキャップとを含み、前記容器本体を押圧することにより、内容液を空気と混合させながら発泡させて、前記吐出ノズル部から泡として吐出させるスクイズフォーマー容器であって、
前記ノズルキャップに設けられた、内容液を空気と混合させた状態で前記吐出ノズル部に送り出す縦方向吐出流路の内部には、内容液を発泡させる多孔部材が装着されていると共に、前記縦方向吐出流路における前記多孔部材よりも下方部分の内側面には、前記容器本体から内溶液が圧送供給される液流路の先端供給口と、前記容器本体から空気が圧送供給される空気流路の先端供給口とが、各々開口しており、
前記液流路の先端供給口からの内容液の供給方向延長線と、前記空気流路の先端供給口からの空気の供給方向延長線とが、横方向から視た際に、交差する前に前記多孔部材の下面に到る位置関係で、前記液流路及び前記空気流路の先端部分が各々形成されているスクイズフォーマー容器。
【請求項２】
前記多孔部材の下面は、前記液流路の先端供給口及び前記空気流路の先端供給口と近接して配置されている請求項１記載のスクイズフォーマー容器。
【請求項３】
前記多孔部材は、前記縦方向吐出流路の内部に複数重ねて装着されており、前記液流路及び前記空気流路の先端部分は、先端供給口からの内容液の供給方向延長線と、先端供給口からの空気の供給方向延長線とが、横方向から視た際に、交差する前に最下層の前記多孔部材の下面に到る位置関係で各々形成されている請求項１又は２記載のスクイズフォーマー容器。
【請求項４】
前記ノズルキャップは、本体パーツと蓋パーツとを接合一体化した２パーツ構成となっており、該蓋パーツは、前記縦方向吐出流路の直上部分を含んだ領域の上部パーツを形成しており、前記多孔部材は、前記蓋パーツと前記本体パーツとが接合一体化されていない状態で、前記縦方向吐出流路の上方から装着されたものとなっている請求項１〜３のいずれか１項記載のスクイズフォーマー容器。
【請求項５】
前記吐出ノズル部は、前記ノズルキャップに設けられた前記縦方向吐出流路と連通する横方向吐出流路を備えており、前記蓋パーツは、前記吐出ノズル部及び前記縦方向吐出流路の直上部分を含んだ領域の上部パーツを形成している請求項４記載のスクイズフォーマー容器。
【請求項６】
前記蓋パーツは、ヒンジ接合部を介して前記本体パーツと連結されており、開いた状態で前記本体パーツと一体成形された後に、前記ヒンジ接合部を中心に前記蓋パーツを回動させることにより、前記吐出ノズル部及び前記縦方向吐出流路の直上部分を含んだ領域の上部を閉塞して、前記本体パーツと接合一体化されている請求項５記載のスクイズフォーマー容器。
【発明の詳細な説明】
【技術分野】
【０００１】
本発明は、スクイズフォーマー容器に関し、特に、容器本体を押圧することにより、内容液を空気と混合させながら発泡させて、吐出ノズル部から泡として吐出させるスクイズフォーマー容器に関する。
【背景技術】
【０００２】
内容液を空気と混合させながら発泡させて、吐出ノズル部から泡として吐出させる泡吐出容器として、例えばスクイズフォーマー容器が知られている（例えば、特許文献１、特許文献２参照）。スクイズフォーマー容器は、可撓性を有するボトル形状の容器本体を把持して、スクイズ操作（押圧操作）することにより、容器本体を減容変形させて、容器本体の内部に収容された内容液と空気とを、吐出ノズル部を備えるノズルキャップの縦方向吐出流路に送り出し、この縦方向吐出流路に取り付けられたメッシュ等による多孔部材を通過させることで発泡させて、吐出ノズル部から泡として吐出させるようになっている。
【０００３】
また、スクイズフォーマー容器では、縦方向吐出流路における多孔部材が取り付けられた部位よりも下方部分に、内容液を空気と混合させる気液混合室が設けられており、容器本体から液流路を介して送られる内容液を、容器本体から空気流路を介して送られる空気と、気液混合室で混合させてから、多孔部材を通過させることで発泡させるようになっている。
【先行技術文献】
【特許文献】
【０００４】
【特許文献１】特許第２９３４１４５号公報
【特許文献２】特表２００４−５３１４３０号公報
【発明の概要】
【発明が解決しようとする課題】
【０００５】
一方、縦方向吐出流路において、多孔部材が取り付けられた部位よりも下方部分に、気液混合室を設けると、気液混合室を設けた分、縦方向吐出流路を長くする必要があることから、ノズルキャップの高さを低く抑えることが難しくなると共に、ノズルキャップをコンパクトに形成することが難しくなる。このため、特に気液混合室を設けなかったり、気液混合室を低い高さで設けた場合でも、泡質を低下させることなく内容液を空気と混合させながら発泡させることを可能にする、新たな技術の開発が望まれている。
【０００６】
本発明は、特に縦方向吐出流路に気液混合室を設けなかったり、気液混合室を低い高さで設けた場合でも、泡質を低下させることなく、内容液を空気と混合させながら発泡させることのできるスクイズフォーマー容器を提供することを目的とする。
【課題を解決するための手段】
【０００７】
本発明は、内容液を収容する容器本体と、該容器本体の口首部に装着される、吐出ノズル部を備えるノズルキャップとを含み、前記容器本体を押圧することにより、内容液を空気と混合させながら発泡させて、前記吐出ノズル部から泡として吐出させるスクイズフォーマー容器であって、前記ノズルキャップに設けられた、内容液を空気と混合させた状態で前記吐出ノズル部に送り出す縦方向吐出流路の内部には、内容液を発泡させる多孔部材が装着されていると共に、前記縦方向吐出流路における前記多孔部材よりも下方部分の内側面には、前記容器本体から内溶液が圧送供給される液流路の先端供給口と、前記容器本体から空気が圧送供給される空気流路の先端供給口とが、各々開口しており、前記液流路の先端供給口からの内容液の供給方向延長線と、前記空気流路の先端供給口からの空気の供給方向延長線とが、横方向から視た際に、交差する前に前記多孔部材の下面に到る位置関係で、前記液流路及び前記空気流路の先端部分が各々形成されているスクイズフォーマー容器を提供することにより、上記目的を達成したものである。
【発明の効果】
【０００８】
本発明のスクイズフォーマー容器によれば、特に気液混合室を設けなかったり、気液混合室を低い高さで設けた場合でも、泡質を低下させることなく、内容液を空気と混合させながら発泡させることができる。
【図面の簡単な説明】
【０００９】
【図１】本発明の好ましい一実施形態に係るスクイズフォーマー容器の斜視図である。
【図２】蓋パーツと本体パーツとを開いた状態で示すノズルキャップの斜視図である。
【図３】本発明の好ましい一実施形態に係るスクイズフォーマー容器の要部断面図である。
【図４】取込み弁機構の構成を説明する、図３のＡ部拡大断面図である。
【図５】縦方向吐出流路に取り付けた多孔部材によって、内容液を空気と混合させながら発泡させる情況を説明する拡大断面図である。
【図６】他の形態のスクイズフォーマー容器を例示する要部断面図である。
【発明を実施するための形態】
【００１０】
図１に示す本発明の好ましい一実施形態に係るスクイズフォーマー容器１０は、容器本体１１を手で把持して押圧することにより、吐出ノズル部１３から内容液を泡として吐出させる泡吐出容器を形成するものである。容器本体１１の口首部１１ａ（図３参照）に装着されるノズルキャップ１２は、容器本体１１を押圧（スクイズ）する操作によって、内容液を空気と混合させながら発泡させて、吐出ノズル部１３から泡として吐出させるスクイズフォーマー機能を備えている。また、本実施形態のスクイズフォーマー容器１０は、ノズルキャップ１２の縦方向吐出流路１６（図３参照）に気液混合室を設けることを不要にして、ノズルキャップ１２をコンパクトに形成することができるようになっていると共に、泡質を低下させることなく、内容液を空気と混合して発泡させることができるようになっている。
【００１１】
そして、本実施形態のスクイズフォーマー容器１０は、内容液を収容する容器本体１１と、容器本体１１の口首部１１ａに装着される、吐出ノズル部１３を備えるノズルキャップ１２とを含み、容器本体１１を押圧することにより、内容液を空気と混合させながら発泡させて、吐出ノズル部１３から泡として吐出させる泡吐出容器であって、図２及び図３に示すように、ノズルキャップ１２に設けられた、内容液を空気と混合させた状態で吐出ノズル部１３に送り出す縦方向吐出流路１６の内部には、内容液を発泡させる多孔部材２２が装着されている。図５にも示すように、縦方向吐出流路１６における多孔部材２２よりも下方部分の内側面には、容器本体１１から内溶液が圧送供給される液流路２４ａの先端供給口２６ａと、容器本体１１から空気が圧送供給される空気流路２４ｂの先端供給口２６ｂとが、各々開口している。液流路２４ａの先端供給口２６ａからの内容液の供給方向延長線Ｘと、空気流路２４ｂの先端供給口２６ｂからの空気の供給方向延長線Ｙとが、横方向（多孔部材を側面視する方向）から視た際に、平行には延長しておらず、交差する前に多孔部材２２の下面に到る位置関係で、液流路２４ａ及び空気流路２４ｂの先端部分が各々形成されている。
【００１２】
また、本実施形態のスクイズフォーマー容器１０では、図２及び図３に示すように、ノズルキャップ１２は、本体パーツ１２ａと蓋パーツ１２ｂとからなる２パーツ構成となっており、蓋パーツ１２ｂは、縦方向吐出流路１６の直上部分を含んだ領域の上部パーツ２０ａを形成しており、多孔部材２２は、蓋パーツ１２ｂと本体パーツ１２ａとが接合一体化されていない状態で、縦方向吐出流路１６の上方から装着されたものとなっている。
【００１３】
さらに、本実施形態のスクイズフォーマー容器１０では、吐出ノズル部１３は、ノズルキャップ１２に設けられた縦方向吐出流路１６と連通する横方向吐出流路１７を備えており、蓋パーツ１２ｂは、吐出ノズル部１３及び縦方向吐出流路１６の直上部分を含んだ領域の上部パーツ２０ａを形成している。
【００１４】
さらにまた、本実施形態のスクイズフォーマー容器１０では、蓋パーツ１２ｂは、ヒンジ接合部１２ｃを介して本体パーツ１２ａと連結されており、開いた状態で本体パーツ１２ａと一体成形された後に、ヒンジ接合部１２ｃを中心に蓋パーツ１２ｂを回動させることにより、吐出ノズル部１３及び縦方向吐出流路１６の直上部分を含んだ領域の上部を閉塞して、本体パーツ１２ａと接合一体化されている。
【００１５】
なお、本願明細書で接合一体化とは、接合方法自体には特定されず、例えば熱溶着等の種々の接合方法の他、本体パーツと蓋パーツとの嵌合による一体化も含まれる。また、一体化した後に本体パーツと蓋パーツに再分解できる程度の一体化も含まれる。
【００１６】
本実施形態では、スクイズフォーマー容器１０を構成する容器本体１１は、図１に示すように、可撓性を有するボトル形状のプラスチック製のブロー成形品であって、例えば略楕円の断面形状を備える有底筒状の胴部１１ｂと、胴部１１ｂの上端部から上方に向けて曲面状に縮径して設けられた肩部１１ｃと、肩部１１ｃの上端部から上方に向けて円筒状に突出して設けられた口首部１１ａ（図３参照）とからなる。胴部１１ｂは、手で把持し易い外径として、例えば４０〜８０ｍｍ程度の外径を有している。口首部１１ａは、胴部１１ｂの外径より小さな、例えば２５〜６５ｍｍ程度の外径を有している。口首部１１ａの外周面には、ノズルキャップ１２を螺合装着させるための雄ネジ突条が設けられている。容器本体１１は、スクイズ変形（押圧変形）が良好になるように、プラスチック材料として、例えばポリプロピレン（ＰＰ）、高密度ポリエチレン（ＨＤＰＥ）、中密度ポリエチレン（ＭＤＰＥ）、低密度ポリエチレン（ＬＤＰＥ）等のポリオレフィン系樹脂、ポリエチレンテレフタレート（ＰＥＴ）等のポリエステル系樹脂を単独又は適宜複数種混合して用いて形成されている。
【００１７】
本実施形態では、ノズルキャップ１２は、例えばプラスチック製の射出成形品であって、図２に示すように、本体パーツ１２ａと蓋パーツ１２ｂとが、開いた状態で一体として形成される。ノズルキャップ１２を形成するためのプラスチック材料として、例えばポリプロピレン（ＰＰ）を用いることができる。
【００１８】
ノズルキャップ１２を構成する本体パーツ１２ａは、図２及び図３に示すように、キャップ本体部１８と、キャップ本体部１８の天面板１８ａから上方に突出した状態で当該天面板１８ａに一体として設けられた、吐出ノズル部１３と外気取り込み室１９とを含む部分の下部パーツ２０ｂとを備えている。外気取り込み室１９は、ノズルキャップ１２の、縦方向吐出流路１６を間において横方向吐出流路１７とは反対側の領域に設けられており、これの上部パーツ２０ａにおける取り込み室上部パーツ３０ｂの外周面に、外気取込み口１４が開口している。吐出ノズル部１３と外気取り込み室１９とを含む部分の下部パーツ２０ｂは、蓋パーツ１２ｂによる、吐出ノズル部１３と外気取り込み室１９とを含む部分の上部パーツ２０ａと一体として接合されることにより、当該吐出ノズル部１３及び外気取り込み室１９を形成する。これによって、蓋パーツ１２ｂによる上部パーツ２０ａは、吐出ノズル部１３における、縦方向吐出流路１６の直上部分を含んだ領域を有していることになる。
【００１９】
キャップ本体部１８は、円板形状の天板部１８ａと、天板部１８ａの周縁部から下方に延設して筒状に設けられた装着スカート部１８ｂとからなる。装着スカート部１８ｂの内周面には、容器本体１１の口首部１１ａの外周面に設けられた雄ネジ突条と螺着する、雌ネジ突条が設けられている。装着スカート部１８ｂの内側には、当該装着スカート部１８ｂと間隔をおいて同心状に配置されて、インナーリング１８ｃが、天板部１８ａの下面から円環リング状に突出して設けられている（図３参照）。インナーリング１８ｃは、ノズルキャップ１２が容器本体１１の口首部１１ａに装着された際に、口首部１１ａの先端開口部の内周面に密着配置されることで、当該先端開口部の開口周縁部におけるシール性を向上させる。
【００２０】
本実施形態では、キャップ本体部１８の天板部１８ａに上端開口面を開口させて、二段筒状部２１が、天板部１８ａの中央部よりも吐出ノズル部１３の先端吐出口１３ａ側に偏心した位置に、当該天板部１８ａに一体として設けられている（図３参照）。二段筒状部２１は、上段の拡径筒部２１ａと、下段の縮径筒部２１ｂとからなる２段構造を備えている（図５参照）。上段の拡径筒部２１ａは、内容液の縦方向吐出流路１６を形成している。本実施形態では、拡径筒部２１ａによる縦方向吐出流路１６の内部には、例えばメッシュ状の材料からなる多孔部材２２が、複数（本実施形態では３体）重ねて装着されている。内容液を、空気と混合させながら多孔部材２２を通過させることで発泡させて、吐出ノズル部１３の先端吐出口１３ａから泡として吐出させることが可能になる。
【００２１】
二段筒状部２１の下段の縮径筒部２１ｂには、容器本体１１の底部まで延設して設けられるディップチューブ２３の上端部分が装着される。これによって縮径筒部２１ｂは、ディップチューブ２３の上端部分と共に、容器本体１１への押圧操作によって、内容液を拡径筒部２１ａによる縦方向吐出流路１６に送り込むための液流路２４ａを形成する。
【００２２】
また、本実施形態では、拡径筒部２１ａと縮径筒部２１ｂの間の段差部分に設けられた環状フランジ部２１ｃには、当該環状フランジ部２１ｃを上下に貫通して、空気孔２５が、周方向に間隔をおいて複数箇所に形成されている。空気孔２５は、容器本体１１への押圧操作によって、内容液をディップチューブ２３及び縮径筒部２１ｂによる液流路２４ａを介して縦方向吐出流路１６に送り込むのと同時に、容器本体１１の内部の空気を、縦方向吐出流路１６に送り込むための空気流路２４ｂを形成する。
【００２３】
容器本体１１への押圧操作によって、液流路２４ａや空気流路２４ｂを介して拡径筒部２１ａによる縦方向吐出流路１６に送り込まれた内容液と空気は、縦方向吐出流路１６において混合されながら、当該縦方向吐出流路１６に装着された多孔部材２２を通過することよって、容易に発泡すると共に微細化される。微細な泡となった内容液は、吐出ノズル部１３による横方向吐出流路１７に送り出されて、先端吐出口１３ａから泡として吐出される。
【００２４】
ここで、本実施形態では、拡径筒部２１ａによる縦方向吐出流路１６に装着される多孔部材２２は、例えばメッシュ状の材料からなる多孔部材２２として、好ましくは成形メッシュを用いることができる。成形メッシュは、成形機を用いて後述の外周枠部２２ａとメッシュ板部２２ｂとを一体で製造できるため、安価であり、さらに、簡単に縦方向吐出流路１６の内部に多孔部材２２を複数個重ねて装着することができる。また、成形メッシュ２２は、縦方向吐出流路１６に、複数重ねて装着することが好ましく、これらの成形メッシュ２２は、上方から見た際に、メッシュ穴の位置が互いにずれるように重ねて配置されて複数装着されていることが好ましい。これらによって、さらにきめの細かい、良好な泡質の泡を形成することが可能になる。なお、メッシュ穴の位置が互いにずれるように成形メッシュ２２を重ねて配置する方法としては、上下に隣接する成形メッシュ２２を、周方向に所定の回転角度で相対的に回転させた状態で取り付ける方法や、上下に隣接する成形メッシュ２２のメッシュ穴の位置や数を変える方法等を採用することができる。
【００２５】
また、成形メッシュ２２は、図２及び図５に示すように、円環状の肉厚の外周枠部２２ａと、この外周枠部２２ａに外周縁部を接合することで、外周枠部２２ａの内側開口を覆って当該外周枠部２２ａの厚さ方向中間部分に膜板状に設けられた、多数のメッシュ穴が形成されたメッシュ板部２２ｂとからなる２段構造を備えている。これによって、縦方向吐出流路１６に装着された複数の成形メッシュ２２を、外周枠部２２ａを支持脚部として当接させた状態で重ね合わせることで、上下に隣接する成形メッシュ２２のメッシュ板部２２ｂの間には、空間を保持することが可能になる。これによって、液流路２４ａの先端供給口２６ａや空気流路２４ｂの先端供給口２６ｂから圧送されて、後述するように、混合される前に最下層の成形メッシュ２２の下面を形成するメッシュ板部２２ｂに到った後に、多数のメッシュ穴を介して当該メッシュ板部２２ｂを通過してこれの裏側に侵入した内容液と空気は、上下に隣接するメッシュ板部２２ｂの間に保持された空間を混合空間として効果的に混合されつつ、上方のメッシュ板部２２ｂを通過して行くことで、さらにきめの細かい、良好な泡質な泡を形成することが可能になる。成形メッシュに、起毛を施しておくことによっても、さらにきめの細かい、良好な泡質な泡を形成することが可能になる。
【００２６】
なお、本発明では、縦方向吐出流路１６に装着される多孔部材２２として、成形メッシュ２２等のメッシュ状の材料の他、スポンジ、焼結金属等の、内容液を空気と混合して発泡した泡を微細化させる部材として公知の、各種の泡微細化部材を用いることができる。また多孔部材２２は、縦方向吐出流路１６に、複数重ねて装着する必要は必ずしもなく、多孔部材２２の大きさや形状等によって、一又は複数の多孔部材２２を、縦方向吐出流路１６に装着して用いることができる。
【００２７】
そして、本実施形態では、図５に示すように、多孔部材２２の、最下層の成形メッシュ２２のメッシュ板部２２ｂによる下面は、ディップチューブ２３及び縮径筒部２１ｂによる液流路２４ａの先端供給口２６ａ、及び空気孔２５による空気流路２４ｂの先端供給口２６ｂと近接して配置されている。また、液流路２４ａ及び空気流路２４ｂの先端部分は、先端供給口２６ａからの内容液の供給方向延長線Ｘと、先端供給口２６ｂからの空気の供給方向延長線Ｙとが、横方向から視た際に、平行には延長しておらず、交差する前に最下層の多孔部材２２の下面に到る位置関係で、各々形成されている。すなわち、少なくとも最下層の多孔部材２２の下面（最下層の成形メッシュ２２のメッシュ板部２２ｂによる下面）では、内容液の供給方向延長線Ｘと、空気の供給方向延長線Ｙとが、平行には延長していないが交差しないように、各部が設計、配置されている。例えば、空気流路２４ｂの先端供給口２６ｂは、成形メッシュ２２のメッシュ板部２２ｂに対して、非垂直になるように配置される等である。なお、最上層の多孔部材２２の下面（最上層の成形メッシュ２２のメッシュ板部２２ｂによる下面）においても、前記内容液の供給方向延長線Ｘと、空気の供給方向延長線Ｙとが交差しないように、各部を設計、配置することが、さらにきめの細かい、良好な泡質の泡を形成する観点で好ましい。
【００２８】
さらに、本実施形態では、図３に示すように、キャップ本体部１８の天板部１８ａにおける、縦方向吐出流路１６を間において吐出ノズル部１３の先端吐出口１３ａとは反対側の領域には、天板部外気取込み口２７が、外気取り込み室１９の直下部分に配置されて開口形成されている。天板部外気取込み口２７は、天面板１８ａの上方に設けられた外気取り込み室１９を、容器本体１１と連通させ、取込み弁機構１５が設けられた外気取り込み室１９の内部の空間を、容器本体１１の内部の空間と同じ圧力下におくことで、容器本体１１を押圧したり、押圧を開放する操作に伴って、取込み弁機構１５による外気取込み口１４の開閉が、スムーズに行われるようにする。
【００２９】
さらにまた、本実施形態では、天板部外気取込み口２７の開口周縁部の天面板１８ａから一体として上方に立設して、弁支持片２８が設けられている。この弁支持片２８の先端部に片持ち接続されて、取込み弁機構１５を構成する薄板状の弁部１５ｂが、弁自身の弾性力を利用して回動可能に設けられている。
【００３０】
ここで、弁部１５ｂと弁支持片２８の先端部との接続方法に関しては特に制限はなく、弁部１５ｂと弁支持片２８とを一体成形して接続しても良く、別パーツとして製作された弁部１５ｂと弁支持片２８とを熱溶着等で接続しても良い。
【００３１】
図２に示すように、キャップ本体部１８と共にノズルキャップ１２の本体パーツ１２ａを構成する下部パーツ２０ｂは、吐出ノズル部１３と外気取り込み室１９とを含む部分の略下半部分のパーツであり、本実施形態では、ノズル部下部パーツ２９ａと、取り込み室下部パーツ２９ｂと、連結下部パーツ２９ｃと、ヒンジ部下部パーツ２９ｄとからなる。
【００３２】
ノズル部下部パーツ２９ａは、開放辺を上方に配置した略コの字断面形状を備えると共に、キャップ本体部１８の天板部１８ａにおける縦方向吐出流路１６が開口する部分から、天板部１８ａに沿って横方向に延設して設けられている。ノズル部下部パーツ２９ａは、その縦方向吐出流路１６側の基端部分が、略半円形状に湾曲する突き当り下部壁３２ａによって閉塞されており、突き当り下部壁３２ａとは、縦方向吐出流路１６が開口する部分を間において反対側の先端部分が、天板部１８ａの周縁部よりも外側に突出して、僅かに下方に折れ曲がりながら延設している。
【００３３】
取り込み室下部パーツ２９ｂは、ノズル部下部パーツ２９ａの略半円形状の突き当り下部壁３２ａを間において縦方向吐出流路１６とは反対側に配置されて、キャップ本体部１８の天面板１８ａから立設する円筒状の部分である。取り込み室下部パーツ２９ｂは、ノズル部下部パーツ２９ａと同様の高さで天面板１８ａから上方に突出していると共に、ノズル部下部パーツ２９ａの外幅と同様の外径を有するように形成されている。取り込み室下部パーツ２９ｂの内側には、上述のように、天面板１８ａから立設する弁支持片２８に回転可能に支持されて、弁部１５ｂが設けられている。
【００３４】
連結下部パーツ２９ｃは、ノズル部下部パーツ２９ａの外周面と、取り込み室下部パーツ２９ｂの外周面とを、滑らかに連続させるようして連結する部分である。連結下部パーツ２９ｃは、ノズル部下部パーツ２９ａの外幅と同様の外幅を有するように配置されて、ノズル部下部パーツ２９ａと取り込み室下部パーツ２９ｂとの間の部分を仕切って、下部パーツ２０ｂの両側部に一対設けられている。連結下部パーツ２９ｃの内側には、ノズル部下部パーツ２９ａと取り込み室下部パーツ２９ｂと連結下部パーツ２９ｃとによって囲まれて、略三角形の中空断面形状を備える隔室２９ｅが形成されている。
【００３５】
ヒンジ部下部パーツ２９ｄは、取り込み室下部パーツ２９ｂの、ノズル部下部パーツ２９ａとは連結下部パーツ２９ｃを間において反対側の外周面から外側に突出して設けられた、一対の縦リブ状の部分である。ヒンジ部下部パーツ２９ｄの上端面の先端縁部は、ヒンジ部上部パーツ３０ｄの下端面の先端縁部と折れ曲がり可能に接合されていることで、ヒンジ接合部１２ｃを形成している。
【００３６】
蓋パーツ１２ｂを構成する上部パーツ２０ａは、吐出ノズル部１３と外気取り込み室１９とを含む部分の略上半部分のパーツであり、本実施形態では、ノズル部上部パーツ３０ａと、取り込み室上部パーツ３０ｂと、連結上部パーツ３０ｃと、ヒンジ部上部パーツ３０ｄとからなる。
【００３７】
ノズル部上部パーツ３０ａは、縦方向吐出流路１６の直上部分の領域を含んで形成されており、開放辺を下方に配置した略コの字断面形状を備えると共に、その両側の側壁部３１が、外側壁部３１ａと内側壁部３１ｂとからなる２段構造を備えている。外側壁部３１ａは、ノズル部下部パーツ２９ａの外幅と同様の外幅を有するように形成されると共に、ノズル部下部パーツ２９ａと同様の高さ及び長さを有するように形成されている。外側壁部３１ａは、蓋パーツ１２ｂが閉塞された際に、これらの下端面が、ノズル部下部パーツ２９ａの両側の側壁部の上端面に各々密着した状態で当接する。
【００３８】
内側壁部３１ｂは、ノズル部下部パーツ２９ａの内幅と同様の外幅を有するように形成されると共に、外側壁部３１ａの全長に亘って、外側壁部３１ａよりも一段高く形成されている。両側の内側壁部３１ｂの取り込み室上部パーツ３０ｂ側の端部は、内側壁部３１ｂよりもさらに一段高く形成された、略半円形状に湾曲する突き当り上部壁３２ｂによって連結されている。これによって、ノズル部上部パーツ３０ａの取り込み室上部パーツ３０ｂ側の基端部分は、略半円形状の突き当り上部壁３２ｂによって閉塞される。略半円形状の突き当り上部壁３２ｂの外周面の曲率半径は、略半円形状の突き当り下部壁３２ａの内周面の曲率半径と、同様の大きさとなっている。
【００３９】
蓋パーツ１２ｂが閉塞された際に、外側壁部３１ａの下端面は、ノズル部下部パーツ２９ａの両側の側壁部の上端面に密着した状態で当接すると共に、内側壁部３１ｂは、これらの外側面をノズル部下部パーツ２９ａの両側の側壁部の内側面に密着させた状態で、これらの側壁部の内側に嵌め込まれるようにして装着される。また突き当り上部壁３２ｂは、蓋パーツ１２ｂが閉塞された際に、外周面をノズル部下部パーツ２９ａの突き当り下部壁３２ｂの内周面に密着させた状態で、これらの突き当り下部壁３２ｂの内側に嵌め込まれるようにして装着される。これらによって、ノズル部下部パーツ２９ａとノズル部上部パーツ３０ａとが一体となった吐出ノズル部１３が形成される。
【００４０】
取り込み室上部パーツ３０ｂは、ノズル部上部パーツ３０ａの略半円形状の突き当り上部壁３２ｂを間において、ノズル部上部パーツ３０ａとは反対側に配置された部分である。取り込み室上部パーツ３０ｂは、蓋パーツ１２ｂの天面部の内側面から下方に突出する円筒状の筒壁部３０ｅを有している。取り込み室上部パーツ３０ｂの筒壁部３０ｅは、ノズル部上部パーツ３０ａの外側壁部３１ａよりも高い高さで突出していると共に、下部パーツ２０ｂの取り込み室下部パーツ２９ｂの内径と同様の外径を有している。筒壁部３０ｅの内側には、これと同心状に配置されて、取り込み室上部パーツ３０ｂの外周面に開口する外気取込み口１４を囲んで蓋パーツ１２ｂの内側面から円筒形状に突出する、筒状弁座部１５ａが設けられている。筒状弁座部１５ａは、ノズル部上部パーツ３０ａの外側壁部３１ａと同じ高さとなるように設けられている。また、取り込み室上部パーツ３０ｂの筒壁部３０ｅにおける、ヒンジ接合部１２ｃ側の略半円部分の領域の外側には、外周当接壁３３が設けられている。外周当接壁３３は、両側の連結上部パーツ３０ｃを介させることで、ノズル部上部パーツ３０ａの両側の外側壁部３１ａと同じ高さで連続して、筒壁部３０ｅの外周面に沿って一体として設けられている。
【００４１】
また、本実施形態では、蓋パーツ１２ｂが閉塞された際に、図３にも示すように、筒壁部３０ｅの外側の外周当接壁３３の下端面が、取り込み室下部パーツ２９ｂにおける、ヒンジ接合部１２ｃ側の略半円部分の領域の上端面に当接する。また、筒壁部３０ｅの先端側部分が、これの外周面を取り込み室下部パーツ２９ｂの内側面に密着させた状態で、取り込み室下部パーツ２９ｂの内側に嵌め込まれるようにして装着される。これによって、ノズルキャップ１２のキャップ本体部１８の天板部１８ａの上方に、内部に取込み弁機構１５が設けられた、外気取り込み室１９が形成されることになる。
【００４２】
また、取り込み室上部パーツ３０ｂの筒壁部３０ｅの先端側部分が、これの外周面を取り込み室下部パーツ２９ｂの内側面に密着させた状態で、取り込み室下部パーツ２９ｂの内側に嵌め込まれるようにして装着されるので、取込み弁機構１５の外側に、当該取込み弁機構１５の周囲を仕切る、取り込み室上部パーツ３０ｂの筒壁部３０ｅ及び取り込み室下部パーツ２９ｂによる環状隔壁３４が形成される。環状隔壁３４は、上端部を、外気取込み口１４を囲んで外気取り込み室１９の内側面に接合させていると共に、下端部を、天板部外気取込み口２７を囲んでキャップ本体部１８の天板部１８ａに接合させていることで、外気取込み口１４から天板部外気取込み口２７に至る外気取込み流路を、気密に仕切った状態で設けられることになる。
【００４３】
取り込み室上部パーツ３０ｂの筒壁部３０ｅ及び取り込み室下部パーツ２９ｂによる環状隔壁３４が、外気取込み口１４から天板部外気取込み口２７に至る外気取込み流路を、気密に仕切った状態で設けられていることにより、容器本体１１を手で把持して押圧したり、押圧を開放する操作に伴って、外気取込み口１４から天板部外気取込み口２７に至る、取込み弁機構１５が配置された外気取込み流路を通過する空気が、環状隔壁３４の外側に漏れ出るのを回避することが可能になる。これによって、取込み弁機構１５のレスポンス性を速めて、ノズルキャップ付き吐出容器１０の使い易さを向上させることが可能になる。
【００４４】
また、本実施形態では、蓋パーツ１２ｂが閉塞された際に、図４にも示すように、外気取り込み室１９の内部において、外気取込み口１４を囲んで蓋パーツ１２ｂの内側面から下方に突出する筒状弁座部１５ａの下端面が、キャップ本体部１８の天板部１８ａから上方に立設する弁支持片２８の、弁部１５ｂが片持ち接続されている上端面２８ａに、密着した状態で当接することになる。これによって、弁部１５ｂは、弁支持片２８との接続部を中心に回動して、筒状弁座部１５ａの下端面と密着することが可能になるので、外気取り込み室１９の内部に、外気取込み口１４を開閉可能な取込み弁機構１５を、容易に形成することが可能になる。
【００４５】
なお、本実施形態では、容器本体１１を押圧しない状態で、弁部１５ｂは、筒状弁座部１５ａの下端面との間に所定間隔の隙間ができるように弁支持片２８に片持ち接続されている（図４）。そして容器本体１１を押圧することによる内圧上昇により、弁部１５ｂは、弁支持片２８との接続部を中心に弾性変形して、筒状弁座部１５ａの下端面と密着する。
【００４６】
上述の構成を備える本実施形態のスクイズフォーマー容器１０では、ノズルキャップ１２は、上述のように、本体パーツ１２ａと蓋パーツ１２ｂとが、開いた状態で一体として成形される。本体パーツ１２ａと蓋パーツ１２ｂとが開いた状態のまま、二段筒状部２１の拡径筒部２１ａによる縦方向吐出流路１６の内部に、上方から、例えば３体の多孔部材２２が重ねて装着される。しかる後に、ヒンジ接合部１２ｃを中心に蓋パーツ１２ｂを回動させることにより、本体パーツ１２ａと蓋パーツ１２ｂとを接合一体化する。これによって、吐出ノズル部１２と外気取り込み室１９とを含む部分の下部パーツ２０ｂの上部が、上部パーツ２０ａによって閉塞されて、吐出ノズル部１３及び外気取り込み室１９が形成されると共に、外気取り込み室１９の内部に、筒状弁座部１５ａと弁部１５ｂとからなる取込み弁機構１５が設けられた、ノズルキャップ１２が容易に形成される。
【００４７】
形成されたノズルキャップ１２は、これのキャップ本体部１８に設けられた二段筒状部２１の縮径筒部２１ｂに、ディップチューブ２３の上端部分を取り付けた状態で、キャップ本体部１８を、口首部１１ａに装着することで、容器本体１１に一体として取り付けられる。これによって、本実施形態のノズルキャップ付き吐出容器１０が形成される。
【００４８】
そして、上述の構成を備える本実施形態のスクイズフォーマー容器１０によれば、ノズルキャップ１２の高さを低く抑えて、ノズルキャップ１２をコンパクトに形成することが可能になると共に、泡質を低下させることなく、内容液を空気と混合させながら発泡させることが可能になる。
【００４９】
すなわち、本実施形態では、キャップ本体部１８の天板部１８ａに開口して設けられた二段筒状部２１の拡径筒部２１ａによる縦方向吐出流路１６に、多孔部材２２が重ねて装着されており、縦方向吐出流路１６の多孔部材２２よりも下方部分には、気液混合室は設けられていないので、縦方向吐出流路１６を短くすることで高さを低く抑えて、ノズルキャップ１２をコンパクトに形成することが可能になる。
【００５０】
また、本実施形態では、液流路２４ａの先端供給口２６ａからの内容液の供給方向延長線Ｘと、空気流路２４ｂの先端供給口２６ｂからの空気の供給方向延長線Ｙとが、横方向から視た際に、交差する前に多孔部材２２の下面に到る位置関係で、液流路２４ａ及び空気流路２４ｂの先端部分が各々形成されている。これによって、液流路２４ａの先端供給口２６ａから圧送された内容液や、空気流路２４ｂの先端供給口２６ｂから圧送された空気は、混合される前に最下層の成形メッシュ２２の下面に到ることになるので、空気と内容液が各成形メッシュ２２（各多孔部材２２）を通過する際に、各成形メッシュと衝突することにより渦等の乱流が発生し、空気と内容液が乱流を起こしながら混合されるという作用によって、きめの細かい、良好な泡質な泡を生成することが可能になる。
【００５１】
したがって、本実施形態のスクイズフォーマー容器１０によれば、特に気液混合室を設けなかったり、気液混合室を低い高さで設けた場合でも、泡質を低下させることなく、きめの細かい泡として、内容液を空気と混合させながら発泡させることが可能になる。
【００５２】
また、本実施形態によれば、ノズルキャップ１２は、本体パーツ１２ａと蓋パーツ１２ｂとからなる２パーツ構成となっており、蓋パーツ１２ｂを本体パーツ１２ａに対して開いた状態で、縦方向吐出流路１６の上方からの作業や操作によって、例えば内容液を発泡させる多孔部材２２を、縦方向吐出流路１６に容易に且つスムーズに装着して取り付けることができるので、従来のノズルキャップ付き吐出容器のように、多孔部材や弁機構等を備える縦方向吐出流路を、ノズルキャップとは別の部材によって形成して、ノズルキャップに後から組み付けたり、ノズルキャップの下方からの作業や操作によって縦方向吐出流路に多孔部材や弁機構等を取り付けたりする必要がなく、縦方向吐出流路を、ノズルキャップ１２と一体として容易に形成することができる。これによって、ノズルキャップの構造や組立工程をさらに簡易にすること可能になる。またこれによって、ノズルキャップ１２を、高さをより低く抑えて形成することができるので、容器のコンパクト化を容易に図ることが可能になると共に、使用する部品点数や樹脂量を効果的に低減して、さらに安価に形成することが可能になる。
【００５３】
さらに、本実施形態のスクイズフォーマー容器１０によれば、ノズルキャップ１２を、本体パーツ１２ａと蓋パーツ１２ｂとを開いた状態で一体として成形した後に、蓋パーツ１２ｂを回動させて閉じた状態で接合一体化するだけの、簡易な構造及び組立工程によって、外気取込み口１４を開閉するための取込み弁機構１５を、ノズルキャップ１２の樹脂材料とは異なる、別の材質の別パーツの部品として別途に形成された弁部材を用いることなく、容易に設けることが可能になる。
【００５４】
なお、本発明は上記実施形態に限定されることなく種々の変更が可能である。例えば、本発明のスクイズフォーマー容器は、多孔部材の下面が、液流路の先端供給口及び空気流路の先端供給口と近接して配置されている必要は必ずしも無く、液流路の先端供給口及び空気流路の先端供給口との間に間隔が保持されていても良い。多孔部材の下面と、液流路の先端供給口及び空気流路の先端供給口との間に、気液混合室が介在している場合でも、液流路の先端供給口からの内容液の供給方向延長線と、空気流路の先端供給口からの空気の供給方向延長線とが、横方向から視た際に、交差する前に多孔部材の下面に到る位置関係で、液流路及び空気流路の先端部分が各々形成されていれば、本発明に含まれる。
【００５５】
また、ノズルキャップは、本体パーツと蓋パーツとからなる２パーツ構成となっている必要は必ずしもなく、蓋パーツは、ヒンジ接合部を介して本体パーツと連結されている必要は必ずしも無い。蓋パーツは、本体パーツとは別の部品として成形されるものであっても良い。また、多孔部材は、蓋パーツと本体パーツとが接合一体化されていない状態で、縦方向吐出流路の上方から装着されたものとなっている必要は必ずしもない。例えば、図６に示すように、上段の拡径筒部２１ａ’が多孔部材２２’が装着される縦方向吐出流路１６’となっている二段筒状部２１’を、本体パーツ１２ａ’とは別の部品として成形して、多孔部材２２’やディップチューブ２３’を装着した状態で、本体パーツ１２ａ’のキャップ本体部１８’の天面板１８ａ’に、下方から嵌め込むようにして一体として取り付けることにより、本発明のスクイズフォーマー容器を構成するノズルキャップとすることもできる。
【００５６】
また、弁部は本体パーツにおいて片持ち接続されている必要は必ずしも無く、例えばゴム板の中心から放射状に複数の貫通スリットを入れることにより、弁片が多数設けられた弁部でも良い。この場合には、ゴム板の中心（放射状の貫通スリットの起点）を筒状弁座部の軸中心と一致させて取り付けることが好ましい。取り付け方は例えば、本体パーツと蓋パーツで挟み込んで固定する方法等がある。また、樹脂製等の球体を使用したボール弁も使用することができる。ボール弁は例えば、前記弁支持片の代わりに、球体の外径より大きい内径の筒状体を本体パーツ側に、外気取込み口と同心状に設け、その上下開口部付近の内径を球体の外径より徐徐に小さく絞り、球体が筒状体から外に出ないようにしたものである。球体は通常は重力により筒状体下部に配置されるが、容器本体を押圧したり、押圧を開放する操作に伴って、球体が筒状体の中を上下移動し、外気取込み口の開閉が、スムーズに行われる。なお、容器本体を押圧して内圧により球体が筒状体内部の上開口部と接触した場合には、外気と容器本体内部とが遮断されるように球体や筒状体の各寸法が設定され、一方、容器本体の押圧を解除し、球体が筒状体内部の下開口部と接触した場合には、外気と容器本体内部とが遮断されないように球体や筒状体の各寸法が設定されることが好ましい。
【符号の説明】
【００５７】
１０  スクイズフォーマー容器
１１  容器本体
１１ａ  口首部
１２  ノズルキャップ
１２ａ  本体パーツ
１２ｂ  蓋パーツ（縦方向吐出流路の直上部分を含んだ領域の上部パーツ）
１２ｃ  ヒンジ接合部
１３  吐出ノズル部
１４  外気取込み口
１５  取込み弁機構
１５ａ  筒状弁座部
１５ｂ  弁部
１６  縦方向吐出流路
１７  横方向吐出流路
１８  キャップ本体部
１８ａ  天面板
１９  外気取り込み室
２０ａ  上部パーツ
２０ｂ  下部パーツ
２１  二段筒状部
２１ａ  上段の拡径筒部
２１ｂ  下段の縮径筒部
２２  多孔部材（成形メッシュ）
２２ａ  外周枠部
２２ｂ  メッシュ板部
２３  ディップチューブ
２４ａ  液流路
２４ｂ  空気流路
２５  空気孔
２７  天板部外気取込み口
２８  弁支持片
２９ａ  ノズル部下部パーツ
２９ｂ  取り込み室下部パーツ
３０ａ  ノズル部上部パーツ（縦方向吐出流路の直上部分を含んだ領域の上部パーツ）
３０ｂ  取り込み室上部パーツ
３０ｅ  筒壁部（蓋側環状隔壁）
３４  環状隔壁
【図１】
2014125212.tif 000003
【図２】
2014125212.tif 000004
【図３】
2014125212.tif 000005
【図４】
2014125212.tif 000006
【図５】
2014125212.tif 000007
【図６】
2014125212.tif 000008